(57)【要約】【課題】建物１の開口部２に設置されたシャッタ装置１０、サッシ装置２０、空調装置３０および制御装置４０を備えたシャッタ装置システムにおいて、屋内の快適性および開口部２の防犯性を常に確保する。【解決手段】シャッタ装置システムのシャッタ装置１０は、シャッタ１２をシャッタ閉状態Ｂからシャッタ１２による開口部２の防犯性を確保されない非防犯状態Ｃを経由して、シャッタ１２の上部に配置された一部のスラット１１を開位置に回動させて通風部αを確保した部分通風状態Ｄとする部分通風装置１８を備え、制御装置４０は、シャッタ１２をシャッタ閉状態Ｂから部分通風状態Ｄに移行する場合、サッシ駆動装置２４によってサッシ２１をサッシ閉状態ｂとした後に、部分通風装置１８によって部分通風状態Ｄに移行させる（ステップＳ１０６）。【選択図】  図７
2014189959.tif 000002
【特許請求の範囲】
【請求項１】
スラットが複数並べられ、建物に形成された開口部を開放または閉鎖するシャッタと、前記シャッタが前記開口部を開放して前記開口部の防犯性が確保されないシャッタ開状態と前記シャッタが前記開口部を閉鎖して前記開口部の防犯性が確保されるシャッタ閉状態との間で前記シャッタを駆動するシャッタ駆動装置と、前記スラットを閉位置から開位置に回動させて隣接する他のスラットとの間に通風部を形成するスラット駆動装置と、を有するシャッタ装置と、
前記シャッタより屋内側に配置され、前記開口部を開放または閉鎖するサッシと、前記サッシが前記開口部を開放して前記開口部の防犯性が確保されないサッシ開状態と前記サッシが前記開口部を閉鎖して前記開口部の防犯性が確保されるサッシ閉状態との間で前記サッシを駆動するサッシ駆動装置と、を有するサッシ装置と、
前記シャッタ装置および前記サッシ装置の動作を制御する制御装置と、を備えたシャッタ装置システムであって、
前記シャッタ装置は、前記シャッタを前記シャッタ閉状態から前記シャッタによる前記開口部の防犯性を確保されない非防犯状態を経由して、前記シャッタの上部に配置された一部の前記スラットを開位置に回動させて前記通風部を確保した部分通風状態とする部分通風装置を備え、
前記制御装置は、前記シャッタを前記シャッタ閉状態から前記部分通風状態に移行する場合、前記サッシ駆動装置によって前記サッシを前記サッシ閉状態とした後に、前記部分通風装置によって前記部分通風状態に移行させるシャッタ装置システム。
【請求項２】
前記部分通風装置は、前記シャッタを前記部分通風状態から前記非防犯状態を経由して前記シャッタ閉状態に移行し、
前記制御装置は、前記シャッタを前記部分通風状態から前記シャッタ閉状態に移行する場合、前記サッシ駆動装置によって前記サッシを前記サッシ閉状態とした後に、前記部分通風装置によって前記シャッタを前記シャッタ閉状態に移行させる請求項１のシャッタ装置システム。
【請求項３】
屋内の空気の温度および湿度を調整する空調装置をさらに備え、
前記制御装置は、前記サッシの開閉状態に応じて前記空調装置を制御する請求項１または請求項２のシャッタ装置システム。
【請求項４】
屋外の温度を検出する温度センサをさらに備え、
前記制御装置は、前記温度センサの検出する温度が所定温度となったときに、前記サッシ駆動装置によって前記サッシを前記サッシ閉状態とした後に、前記部分通風装置によって前記シャッタを前記部分通風状態または前記シャッタ閉状態に移行させる請求項１乃至請求項３のいずれか一項のシャッタ装置システム。
【発明の詳細な説明】
【技術分野】
【０００１】
本発明は、シャッタ装置システムに関する。
【背景技術】
【０００２】
建物の空調システムの一形式として、特許文献１に示されているものが知られている。建物の空調システムは、複数のスラットから構成されたシャッタカーテンにより、建物の開口部をシャッタ開状態またはシャッタ閉状態とするシャッタ装置と、シャッタカーテンよりも屋内側に配置され、一対のサッシにより開口部をサッシ開状態またはサッシ閉状態とするサッシ装置と、屋内の温度および湿度を調整する空調装置と、これらを制御するホームサーバと、を備えている。シャッタカーテンは、シャッタ閉状態からシャッタカーテンの上部に配置されたスラットを回動して通風部を確保することで、開口部の防犯性および通気性を確保した状態を形成することもできる。ホームサーバは、シャッタカーテンを通風部が確保された状態とサッシをサッシ開状態に移行して行う自然換気と、空調装置による空調とを組み合わせて、屋内の温度および湿度を効率よく調整している。さらに、ホームサーバは、自動車等の移動体と相互に通信可能な通信部を有しており、人が建物から離れている場合にもその移動体の移動状態に合わせて屋内の温度および湿度を効率よく調整している。
【先行技術文献】
【特許文献】
【０００３】
【特許文献１】特開２０１０−７１０１２号公報
【発明の概要】
【発明が解決しようとする課題】
【０００４】
しかしながら、このような建物の空調システムにおいて、シャッタカーテンは、シャッタ閉状態からシャッタカーテンの一部に通風部を確保した状態に移行する間に、開口部を一部開状態とする防犯性を低下する動作を行う。建物の防犯性を低下することは、就寝中や人が建物から離れている場合に、特に問題となる。
【０００５】
本発明は、上述した問題を解消するためになされたもので、就寝中や人が建物から離れている場合に、開口部を一部開状態とする防犯性を低下する動作を行うシャッタ装置を有する建物の空調システムであっても、開口部の防犯性が常に確保されることを目的とする。
【課題を解決するための手段】
【０００６】
上記の課題を解決するため、請求項１に係るシャッタ装置システムは、スラットが複数並べられ、建物に形成された開口部を開放または閉鎖するシャッタと、シャッタが開口部を開放して開口部の防犯性が確保されないシャッタ開状態とシャッタが開口部を閉鎖して開口部の防犯性が確保されるシャッタ閉状態との間でシャッタを駆動するシャッタ駆動装置と、スラットを閉位置から開位置に回動させて隣接する他のスラットとの間に通風部を形成するスラット駆動装置と、を有するシャッタ装置と、シャッタより屋内側に配置され、開口部を開放または閉鎖するサッシと、サッシが開口部を開放して開口部の防犯性が確保されないサッシ開状態とサッシが開口部を閉鎖して開口部の防犯性が確保されるサッシ閉状態との間でサッシを駆動するサッシ駆動装置と、を有するサッシ装置と、シャッタ装置およびサッシ装置の動作を制御する制御装置と、を備えたシャッタ装置システムであって、シャッタ装置は、シャッタをシャッタ閉状態からシャッタによる開口部の防犯性が確保されない非防犯状態を経由して、シャッタの上部に配置された一部の前記スラットを開位置に回動させて通風部を確保した部分通風状態とする部分通風装置を備え、制御装置は、シャッタをシャッタ閉状態から部分通風状態に移行する場合、サッシ駆動装置によってサッシをサッシ閉状態とした後に、部分通風装置によって部分通風状態に移行させる。
【０００７】
よって、シャッタをシャッタ閉状態から部分通風状態に移行する間にシャッタが開口部を一部開放状態とする非防犯状態となっても、サッシはサッシ閉状態であるため、開口部の防犯性を確保している。したがって、就寝中や人が建物から離れている場合でも開口部の防犯性は常に確保されている。
【０００８】
また請求項２に係る発明は、請求項１に係るシャッタ装置システムにおいて、部分通風装置は、シャッタを部分通風状態から非防犯状態を経由してシャッタ閉状態に移行し、制御装置は、シャッタを部分通風状態からシャッタ閉状態に移行する場合、サッシ駆動装置によってサッシをサッシ閉状態とした後に、部分通風装置によってシャッタをシャッタ閉状態に移行させる。
【０００９】
よって、シャッタを部分通風状態からシャッタ閉状態に移行する間にシャッタが開口部を一部開放状態とする非防犯状態となっても、サッシはサッシ閉状態であるため、開口部の防犯性を確保している。したがって、就寝中や人が建物から離れている場合でも開口部の防犯性は常に確保されている。
【００１０】
また請求項３に係る発明は、請求項１または請求項２に係るシャッタ装置システムにおいて、屋内の温度および湿度の調整を行う空調装置をさらに備え、制御装置は、サッシの開閉状態に応じて空調装置を制御する。
【００１１】
このように、サッシの開閉状態に応じて空調装置を制御することで、自然換気および空調装置による空調を組み合わせて屋内の温度および湿度を効率よく調整できるとともに、開口部の防犯性は常に確保されている。
【００１２】
また請求項４に係る発明は、請求項１乃至請求項３に係る何れか一つのシャッタ装置システムにおいて、屋外の温度を検出する温度センサをさらに備え、制御装置は、温度センサの検出する温度が所定温度となったときに、サッシ駆動装置によってサッシをサッシ閉状態とした後に、部分通風装置によってシャッタを部分通風状態またはシャッタ閉状態に移行させる。
【００１３】
よって、夏場の就寝中等において、シャッタを部分通風状態またはシャッタ閉状態に移行する間にシャッタが開口部を一部開放状態とする非防犯状態となっても、サッシはサッシ閉状態であるため、開口部の防犯性を常に確保している。具体的に、夏場の就寝中におけるシャッタ装置システムの動作は、就寝時等に外気温が高いためシャッタをシャッタ閉状態に、サッシをサッシ閉状態に移行して気密性を確保して空調装置による空調を行う。その後、深夜に外気温が下がったためシャッタを部分通風状態に、サッシをサッシ開状態に移行して開口部から外気を取り入れて自然換気を行う。さらに、明け方に外気温が高くなったためにシャッタをシャッタ閉状態に、サッシをサッシ閉状態に移行して気密性を確保して空調装置による空調を行う。
【図面の簡単な説明】
【００１４】
【図１】本発明によるシャッタ装置システムの一実施形態を示す概要図である。
【図２】図１に示すシャッタ装置の正面図である。
【図３】図２に示す３−３線に沿ったシャッタ装置の断面図である。上段はスラットが開位置にある状態を示す図であり、下段はスラットが閉位置にある状態を示す図である。
【図４】図３に示す４−４線に沿ったシャッタ装置の断面図である。左側はスラットが開位置にある状態を示す図であり、右側はスラットが閉位置にある状態を示す図である。
【図５】図１に示す５−５線に沿った建物の断面図である。左から順番に１組目はシャッタ装置システムの全開状態を示す図であり、２組目はシャッタ装置システムの全閉状態を示す図であり、３組目はシャッタ装置システムが全閉状態から防犯通風状態に移行中の一状態を示す図であり、４組目はシャッタ装置システムの防犯通風状態を示す図である。
【図６】図１に示すサッシ装置の正面図である。
【図７】図１に示した制御装置にて実行される制御プログラムのフローチャートである。
【発明を実施するための形態】
【００１５】
以下、図１を用いて、本発明によるシャッタ装置システムの一実施形態ついて説明する。シャッタ装置システムは、建物１の開口部２に設置されたシャッタ装置１０、建物１の開口部２に、シャッタ装置１０よりも屋内側に設置されたサッシ装置２０、屋内に設置された空調装置３０および制御装置４０（特許請求の範囲に記載の制御装置）を備えている。
【００１６】
図２に示すように、シャッタ装置１０は、スラット１１、スラット１１を上下方向（図２にて上下方向）に複数並べられて形成されたシャッタ１２、シャッタ１２を巻き取る巻取体１３、巻取体１３を回転駆動するシャッタ駆動装置１４、巻取体１３を回転可能に保持するフレーム１５、シャッタ１２の両側方に設けられた一対の縦支柱１６、スラット１１を回動するスラット駆動装置１７、部分通風装置１８およびシャッタ制御装置１９を備えている。
【００１７】
スラット１１は、一対の縦支柱１６間において、左右方向（図２にて左右方向）に沿って延設されている。図３は、図２の３−３線に沿った断面図である。図３の上段に示すように、スラット１１は、金属または樹脂材によって形成され、回動軸１１ａ、第１接触部１１ｂおよび第２接触部１１ｃを備えている。
【００１８】
回動軸１１ａは、スラット１１の左右方向両側の端部に設けられ、左右方向外側に軸状に突出している。回動軸１１ａの中心軸を中心として、スラット１１は開位置と閉位置との間を回動する。開位置は、図４の左側に示すように、スラット１１が略水平となる位置である。閉位置は、図４の右側に示すように、スラット１１が略垂直となる位置である。
【００１９】
第１接触部１１ｂは、回動軸１１ａの外壁面に凸設されており、スラット１１が回動するときに、スラット駆動装置１７と接触するものである。第２接触部１１ｃは、スラット１１の左右方向片側の端部に、回動軸１１ａと平行に軸状に突出している。第２接触部１１ｃは、スラット１１が回動した後に、後述する縦支柱１６の第２案内通路１６ｂに案内されるものである。
【００２０】
さらに、スラット１１は、図４の右側に示すように、凸部１１ｄおよび凹部１１ｅを備えている。凸部１１ｄは、スラット１１の上端に凸設されている。また、凹部１１ｅは、スラット１１の下端に凹設されている。凸部１１ｄと上方向に隣接する他のスラット１１の凹部１１ｅとが嵌合できるようになっている。なお、図４右側に示すスラット１１は、凸部１１ｄと凹部１１ｅとは嵌合していない状態を表している。
【００２１】
シャッタ１２は、図２に示すように、スラット１１およびチェーン状の線状連結体１２ａを備えている。シャッタ１２は、スラット１１が複数並べられ、建物１に形成された開口部２を開放または閉鎖するものである。シャッタ１２は、シャッタ１２の上下方向において複数のスラット１１を並設している。なお、スラット１１の数は図２に示す数に限定されるものではない。線状連結体１２ａは、シャッタ１２の左右方向両側方に配設され、隣接する各スラット１１を連結するとともに、各スラット１１の回動軸１１ａを回動可能に保持するものである（図３参照）。
【００２２】
巻取体１３は、シャッタ１２の上端部が連結されている。巻取体１３は、一方向への回転に伴いシャッタ１２を巻き上げ、逆方向への回転に伴いシャッタ１２を巻き下ろすものである。
【００２３】
シャッタ駆動装置１４は、巻取体１３を回転させてシャッタ１２を上下方向に駆動させるものである。シャッタ駆動装置１４は、シャッタ駆動部１４ａ、ブレーキ部１４ｂおよびシャッタ制御部１４ｃを備えている。シャッタ駆動部１４ａは、巻取体１３の内部に配設され、巻取体１３を回転させるものであり、例えば直流モータで構成されている。ブレーキ部１４ｂは、シャッタ駆動部１４ａに隣接して配設され、巻取体１３の回転を規制するものである。また、シャッタ制御部１４ｃは、シャッタ駆動部１４ａおよびブレーキ部１４ｂと電気的に接続され、電力の供給および制御信号を送信してシャッタ駆動部１４ａおよびブレーキ部１４ｂを制御して、シャッタ１２の開閉状態を制御するものである。
【００２４】
フレーム１５は、シャッタ装置１０の上部に配置され、巻取体１３を回転可能に保持している。フレーム１５は、巻取体１３がシャッタ１２を巻き上げたときに、シャッタ１２を収納する。
【００２５】
縦支柱１６は、シャッタ１２の左右方向両側方でフレーム１５を支持するように配設され、シャッタ１２を摺動可能に支持するものである。縦支柱１６は、図３に示すように、第１案内通路１６ａおよび第２案内通路１６ｂを形成している。第１案内通路１６ａは、図３の下段に示すように、スラット１１を閉位置としてシャッタ１２が開閉動作するときに、回動軸１１ａを案内し、第２接触部１１ｃを案内可能とする通路である。第２案内通路１６ｂは、図３の上段に示すように、スラット１１を開位置としてシャッタ１２を開閉動作するときに、第２接触部１１ｃを案内可能とする通路である。
【００２６】
スラット駆動装置１７は、スラット１１を閉位置から開位置に回動させて隣接する他のスラット１１との間に通風部α（図４および図５参照）を形成するものである。スラット駆動装置１７は、図２および図３に示すように、作動体１７ａ、作動体駆動部１７ｂおよびスラット制御部１７ｃを備えている。
【００２７】
作動体１７ａは、接触位置Ｌ１と退避位置Ｌ２との間を左右方向に移動できるようにスライド可能に支持されている。作動体１７ａは、接触位置Ｌ１にある場合にスラット１１の第１接触部１１ｂと接触するようになっており、退避位置Ｌ２にある場合にスラット１１の第１接触部１１ｂと接触しないようになっている。作動体１７ａは図示しないスプリングによって退避位置Ｌ２に常時付勢されている。
【００２８】
作動体駆動部１７ｂは、スラット制御部１７ｃの制御信号により、作動体１７ａを退避位置Ｌ２から接触位置Ｌ１に駆動するものである。作動体駆動部１７ｂは、例えば励磁ソレノイドを含んで構成されている。他には、電動モータとギア等を組み合わせて構成されても良い。なお、本実施形態において、作動体１７ａは第１接触部１１ｂと接触して、スラット１１を回動するようになっているが、作動体１７ａが第２接触部１１ｃと接触して、第２接触部１１ｃが第２案内通路１６ｂに案内されるように、作動体１７ａを形成してもよい。
【００２９】
スラット制御部１７ｃは、作動体駆動部１７ｂと電気的に接続され、電力の供給および制御信号を送信して作動体駆動部１７ｂを制御して、スラット１１の開閉状態を制御するものである。
【００３０】
部分通風装置１８は、シャッタ１２が開口部２を閉鎖している状態から、シャッタ１２が通風部αを形成した状態にシャッタ１２を駆動するものである。部分通風装置１８は、シャッタ駆動部１８ａ、スラット駆動部１８ｂおよび部分通風制御部１８ｃを備えている。本実施形態において、シャッタ駆動部１８ａは、シャッタ駆動部１４ａで構成されている。また、スラット駆動部１８ｂは作動体駆動部１７ｂで構成されている。そして、部分通風制御部１８ｃは、シャッタ制御部１４ｃおよびスラット制御部１７ｃで構成されている。また、部分通風装置１８は、シャッタ１２が通風部αを形成した状態から、シャッタ１２が開口部２を閉鎖している状態にシャッタ１２を駆動するものである。
【００３１】
シャッタ制御装置１９は、シャッタ駆動装置１４、スラット駆動装置１７および部分通風装置１８に電気的に接続されている。シャッタ制御装置１９は、シャッタ駆動装置１４、スラット駆動装置１７および部分通風装置１８に電力の供給および制御信号の送信を行い、シャッタ１２およびスラット１１の開閉状態を制御するものである。また、シャッタ制御装置１９は、シャッタ制御部１４ｃ、スラット制御部１７ｃおよび部分通風制御部１８ｃを備えている。
【００３２】
また、シャッタ制御装置１９は、制御装置４０と相互に通信可能に接続されており、シャッタ制御装置１９はシャッタ１２およびスラット１１の開閉状態の情報を制御装置４０に送信する。また、制御装置４０は、シャッタ１２およびスラット１１の開閉状態を移行する制御信号をシャッタ制御装置１９に送信する。
【００３３】
次に、図３乃至図５に基づいて、シャッタ１２の各状態および各状態に移行する動作について説明する。
【００３４】
図５の左から１組目に示すシャッタ１２の状態は、シャッタ開状態Ａである。シャッタ開状態Ａは、シャッタ駆動装置１４によって、シャッタ１２の全部を巻取体１３に巻き取らせて、シャッタ１２がフレーム１５に収納されている状態である。すなわち、シャッタ開状態Ａは、シャッタ１２が開口部２を開放してシャッタ１２による開口部２の防犯性が確保されない状態である。
【００３５】
また、シャッタ１２が全部巻き上げられると、フレーム１５の内部に配置された図示しないスイッチにより、シャッタ１２が全部巻き上げられて開口部２が解放された状態であることを検出するようになっている。この検出信号は、シャッタ制御装置１９に送信される。そして、ブレーキ部１４ｂは巻取体１３の回転を規制してシャッタ１２が全部巻き上げられた状態を保持する。
【００３６】
図５の左から２組目に示すシャッタ１２の状態は、シャッタ閉状態Ｂである。シャッタ閉状態Ｂは、シャッタ駆動装置１４によって、シャッタ１２の全部が巻き下ろされて、シャッタ１２が開口部２を閉鎖した状態である。すなわち、シャッタ閉状態Ｂは、シャッタ１２が開口部２を閉鎖してシャッタ１２による開口部２の防犯性が確保される状態である。
【００３７】
次に、シャッタ１２がシャッタ開状態Ａからシャッタ閉状態Ｂに移行する動作について説明する。
【００３８】
シャッタ制御部１４ｃは、シャッタ駆動部１４ａによって巻取体１３を回転させて、シャッタ１２を巻き下ろす。このとき、図３の下段に示すように、スラット１１の回動軸１１ａは、第１案内通路１６ａに案内されて移動する。また、作動体駆動部１７ｂは作動体１７ａを退避位置Ｌ２にして、作動体１７ａと第１接触部１１ｂとが接触しないようにする。また、スラット１１は、図示しないスプリングにより常時閉位置方向に付勢されている。よって、スラット１１は回動せずに、第２接触部１１ｃが第２案内通路１６ｂに案内される。したがって、図４の右側に示すように、スラット１１が閉位置のまま、シャッタ１２が巻き下される。
【００３９】
シャッタ１２が全部巻き下ろされると、スラット１１の凸部１１ｄが隣接する他のスラット１１の凹部１１ｅと嵌合する。これにより、シャッタ１２の剛性が高くなり、防犯性が高くなる。このときのシャッタ１２の状態がシャッタ閉状態Ｂである。
【００４０】
また、シャッタ１２が全部巻き下ろされると、縦支柱１６の内部に配置された図示しないスイッチにより、シャッタ１２が全部巻き下ろされて開口部２が閉鎖されたことを検出するようになっている。この検出信号は、シャッタ制御装置１９に送信される。このとき、ブレーキ部１４ｂは巻取体１３の回転を規制して、シャッタ１２を全部巻き下ろされた状態で保持する。
【００４１】
図５の左から３組目に示すシャッタ１２の状態は、非防犯状態Ｃである。非防犯状態Ｃは、シャッタ閉状態Ｂからシャッタ１２の一部が巻き上げられて、開口部２の下側を一部開放している状態である。よって、非防犯状態Ｃは、シャッタ１２による開口部２の防犯性は確保されない。
【００４２】
また、図５の左から４組目に示すシャッタ１２の状態は、部分通風状態Ｄである。部分通風状態Ｄは、シャッタ閉状態Ｂからシャッタ１２の上部に配置された一部のスラット１１を開位置に回動させて通風部αを確保した状態である。
【００４３】
次に、シャッタ１２がシャッタ閉状態Ｂから非防犯状態Ｃを経由して、部分通風状態Ｄに移行する動作について説明する。
【００４４】
部分通風制御部１８ｃは、シャッタ駆動部１８ａによって、シャッタ１２を、通風部αを形成するスラット１１の高さ分を巻き上げる。本実施例においては、スラット１１の３枚分の高さを巻き上げる。このときのシャッタ１２の状態が、非防犯状態Ｃである。なお、通風部αを形成するスラット１１の数は、これに限定するものではない。
【００４５】
そして、部分通風制御部１８ｃは、シャッタ１２を巻き下ろし、図３の上段に示すように、スラット駆動部１８ｂによって、作動体１７ａを接触位置Ｌ１に移動させ、作動体１７ａと第１接触部１１ｂとを接触させるようにする。そして、図４の左側に示すように、作動体１７ａと第１接触部１１ｂとが接触したままシャッタ１２が巻き下されると、スラット１１は図４に対して時計周りに回動軸１１ａを中心として回動する。スラット１１が開位置まで回動し、さらにシャッタ１２が巻き下ろされて第２接触部１１ｃと作動体１７ａとの接触が解除されると、第２案内通路１６ｂの導入口から第２案内通路１６ｂ内に第２接触部１１ｃが案内される。
【００４６】
これにより、スラット１１を開位置で摺動可能に保持することができるため、３枚のスラット１１は開位置のままシャッタ１２が巻き下され、通風部αが確保される。そして、シャッタ１２が全部巻き下ろされると、閉位置のスラット１１の凸部１１ｄが隣接する他の閉位置のスラット１１の凹部１１ｅと嵌合してシャッタ１２の剛性が向上する。このときのシャッタ１２の状態が部分通風状態Ｄである。
【００４７】
また、通風部αは、人の手が届かないシャッタ１２の上部に設定されているため、防犯性を確保している。また、通風部αによりシャッタ１２に通気性が確保される。よって、部分通風状態Ｄは、シャッタ１２の防犯性と通気性が確保された状態である。
【００４８】
また、上述したように、シャッタ１２が全部巻き下ろされると、縦支柱１６の内部に配置された図示しないスイッチにより、開口部２が閉鎖されたことを検出した信号がシャッタ制御装置１９に送信される。そして、ブレーキ部１４ｂは巻取体１３の回転を規制して、シャッタ１２を全部巻き下ろされた状態で保持する。
【００４９】
次に、シャッタ１２が部分通風状態Ｄから非防犯状態Ｃを経由してシャッタ閉状態Ｂに移行する動作について説明する。
【００５０】
部分通風制御部１８ｃは、シャッタ１２を、開位置から閉位置に回動させるスラット１１の高さ分をシャッタ駆動部１８ａによって巻き上げる。上述したように、スラット１１は、スプリングによって常時閉位置に回動するように付勢されているため、開位置にあるスラット１１の第２接触部１１ｃが第２案内通路１６ｂから外れるときに開位置から閉位置に回動する。このとき、シャッタ１２は、非防犯状態Ｃとなる。
【００５１】
そして、部分通風装置１８は、シャッタ１２を巻き下す。このとき、スラット駆動部１８ｂは、作動体１７ａを退避位置Ｌ２のままとする。これにより、シャッタ１２は、スラット１１が閉位置のままで巻き下される。よって、シャッタ１２を全部巻き下ろすと、シャッタ１２はシャッタ閉状態Ｂとなる。
【００５２】
シャッタ駆動装置１４は、シャッタ１２が開口部２を開放して開口部２の防犯性が確保されないシャッタ開状態Ａとシャッタ１２が開口部２を閉鎖して開口部２の防犯性が確保されるシャッタ閉状態Ｂとの間でシャッタ１２を駆動するものである。
【００５３】
部分通風装置１８は、シャッタ１２をシャッタ閉状態Ｂからシャッタ１２による開口部２の防犯性を確保されない非防犯状態Ｃを経由して、シャッタ１２の上部に配置された一部のスラット１１を開位置に回動させて通風部αを確保した部分通風状態Ｄとするものである。また、部分通風装置１８は、部分通風状態Ｄから非防犯状態Ｃを経由してシャッタ１２をシャッタ閉状態Ｂに移行するものである。
【００５４】
サッシ装置２０は、図６に示すように、一対のサッシ２１、開口部２の上下一対に配設され、サッシ２１がスライド移動する一対のレール部２２、サッシ施錠装置２３、サッシ駆動装置２４およびサッシ制御装置２５を備えている。
【００５５】
サッシ２１は、シャッタ１２より屋内側に配置され、開口部２を開放または閉鎖するものである。サッシ２１は、一対の引き違い式のサッシであり、左右方向にスライド移動するものである。各サッシ２１は、開口部２の左右方向約半分を塞ぐ大きさおよび形状となっている。なお、本実施例においては、サッシ２１は、アルミ等で製作される窓枠にガラス等をはめ込んで構成される建具であるが、構成はこれに限定するものではなく、木材等を含んでもよい。
【００５６】
サッシ施錠装置２３は、レール部２２に配設され、サッシ２１が開口部２を閉鎖した位置にあるときにスライド移動を規制するものである。サッシ施錠装置２３は、図示しない一対の作動体２３ａ、作動体駆動部２３ｂおよび作動体制御部２３ｃを備えている。
【００５７】
作動体２３ａは、施錠位置と退避位置との間を移動するものである。サッシ２１が開口部２を閉鎖した位置にあるときに、作動体２３ａを施錠位置とすると、図示しないサッシ２１に凹設された凹部と作動体２３ａが嵌合し、サッシ２１のスライド移動が規制される。作動体２３ａが退避位置にあるときは、サッシ２１の凹部と嵌合しないため、サッシ２１のスライド移動を規制しない。
【００５８】
作動体駆動部２３ｂは、作動体２３ａを施錠位置と退避位置との間を移動させるものである。作動体制御部２３ｃは、作動体駆動部２３ｂと電気的に接続され、電力の供給および制御信号を送信して作動体駆動部２３ｂを制御して、作動体２３ａの位置を制御するものである。
【００５９】
サッシ駆動装置２４は、サッシ２１を駆動するものである。サッシ駆動装置２４は、サッシ駆動部２４ａおよびサッシ制御部２４ｂを備えている。サッシ駆動部２４ａは、例えば、リニア誘導電動機となっており、レール部２２に沿って複数配置された１次巻線と、その１次巻線と非接触で対向するようにサッシ２１に設けられた２次導体とを含んで構成されている。この場合、１次巻線が順次励磁されることで２次導体を移動させる駆動力が生じ、サッシ２１がスライド移動する。
【００６０】
また、サッシ駆動部２４ａは、サッシ２１をレール部２２に対して非接触の状態でスライド移動させるため、使用者はサッシ駆動部２４ａが駆動していない場合に、手作業によりサッシ２１をスライド移動することができる。なお、サッシ駆動部２４ａは、この構成に限定されず、電動モータおよびギア等を含んで構成されていてもよい。
【００６１】
サッシ制御部２４ｂは、サッシ駆動部２４ａと電気的に接続され、電力の供給および制御信号を送信してサッシ駆動部２４ａを制御して、サッシ２１の開閉状態を制御するものである。
【００６２】
サッシ制御装置２５は、サッシ施錠装置２３およびサッシ駆動装置２４と電気的に接続されており、サッシ施錠装置２３およびサッシ駆動装置２４に電力の供給と制御信号の送信を行い、サッシ２１の開閉状態および施錠状態を制御するものである。また、サッシ制御装置２５は、作動体制御部２３ｃおよびサッシ制御部２４ｂを備えている。
【００６３】
また、サッシ制御装置２５は、制御装置４０と相互に通信可能に接続されており、サッシ制御装置２５はサッシ２１の開閉状態および施錠状態の情報を制御装置４０に送信する。また、制御装置４０は、サッシ２１の開閉状態および施錠状態を移行する制御信号をサッシ制御装置２５に送信する。
【００６４】
次に、サッシ２１の各状態および各状態に移行する動作について説明する。
【００６５】
サッシ開状態ａは、サッシ２１が開口部２を開放している状態である。サッシ２１がサッシ施錠装置２３によってスライド移動を規制されていないときに、サッシ駆動部２４ａが少なくとも一つのサッシ２１をサッシ２１が互いに重なるようにスライド移動させると、開口部２が開放される。サッシ開状態ａはサッシ２１が開口部２を開放して、サッシ２１の通気性が確保され、サッシ２１による開口部２の防犯性が確保されない状態である。
【００６６】
サッシ閉状態ｂは、サッシ２１が開口部を閉鎖して、サッシ２１のスライド移動が規制されている状態である。サッシ駆動部２４ａがサッシ２１を互いに最も離れる方向にスライド移動させると、開口部２が閉鎖される。このとき、レール部２２に配設された図示しないスイッチにより、サッシ２１が開口部２を閉鎖したことを検出するようになっている。この検出信号は、サッシ制御装置２５に送信される。
【００６７】
次に、作動体制御部２３ｃの制御信号によって、作動体駆動部２３ｂが、作動体２３ａを施錠位置に移動させ、サッシ２１のスライド移動を規制する。そして、サッシ施錠装置２３に配設された図示しないスイッチにより、作動体２３ａが施錠位置に移行したことを検出するようになっている。この検出信号は、サッシ制御装置２５に送信される。
【００６８】
このときのサッシ２１の状態がサッシ閉状態ｂである。サッシ閉状態ｂは、サッシ２１が開口部２を閉鎖して、サッシ２１の移動が規制されるため、開口部２の防犯性が確保される状態である。なお、サッシ制御装置２５は、レール部２２からサッシ２１が開口部２を閉鎖した検出信号およびサッシ施錠装置２３から作動体２３ａが施錠位置にある検出信号を受信したときは、サッシ２１はサッシ閉状態ｂであると判定する。また、サッシ制御装置２５は、レール部２２からのサッシ２１が開口部２を閉鎖した検出信号がなければ、サッシ２１はサッシ開状態ａであると判定する。
【００６９】
サッシ駆動装置２４は、サッシ２１が開口部２を開放して開口部２の防犯性が確保されないサッシ開状態ａとサッシ２１が開口部２を閉鎖して開口部２の防犯性が確保されるサッシ閉状態ｂとの間でサッシ２１を駆動するものである。
【００７０】
また、図５の左から１組目および４組目に示すサッシ２１の状態はサッシ開状態ａを表している。また、図５の左から２組目および３組目に示すサッシ２１の状態はサッシ閉状態ｂを表している。
【００７１】
次に、シャッタ装置システムの各状態について説明する。
【００７２】
図５の左から１組目に示すシャッタ装置システムは、全開状態Ｘである。シャッタ装置システムの全開状態Ｘは、シャッタ１２はシャッタ開状態Ａであり、かつサッシ２１はサッシ開状態ａである。また、図５の左から２組目に示すシャッタ装置システムの状態は、全閉状態Ｙである。全閉状態Ｙは、シャッタ１２がシャッタ閉状態Ｂであり、かつサッシ２１がサッシ閉状態ｂである。よって、全閉状態Ｙは、開口部２の防犯性および気密性を確保している状態である。
【００７３】
また、図５の左から３組目に示すシャッタ装置システムの状態は、全閉状態Ｙから防犯通風状態Ｚに移行中の一状態である、シャッタ１２が非防犯状態Ｃであり、サッシ２１をサッシ閉状態ｂである。
【００７４】
そして、図５の左から４組目に示すシャッタ装置システムの状態は、防犯通風状態Ｚである。防犯通風状態Ｚは、シャッタ１２が部分通風状態Ｄであり、かつサッシ２１がサッシ開状態ａである。よって、防犯通風状態Ｚは、開口部２の防犯性および通気性を確保している状態である。
【００７５】
空調装置３０は、屋内の温度および湿度を調整（以下、空調とする。）するものである。また、空調装置３０は、図１に示すように、屋外の温度（以下、外気温とする。）を検出する温度センサ３１を備えている。温度センサ３１の検出する信号は、空調装置３０が有する制御部に送信されるようになっている。空調装置３０の制御部は、制御装置４０と相互に通信可能とし、屋内の空調の状況および温度センサ３１の検出信号を制御装置４０へ送信している。
【００７６】
次に、上述したシャッタ装置システムの動作の一例について、図６に示すフローチャートに沿って説明する。
【００７７】
夏場の就寝時などに、使用者が図示しないスイッチを操作すること等により、制御装置４０がシャッタ装置システムを全閉状態Ｙ（シャッタ閉状態Ｂ、サッシ閉状態ｂ）にして開口部２の防犯性および気密性を確保する。そして、空調装置３０によって、使用者が設定した温度（以下、設定温度とする。）となるように、屋内の空調を行う（ステップＳ１０２）。
【００７８】
次に、制御装置４０は、空調装置３０の温度センサ３１が検出する外気温が所定温度以下となったか否かを判定する（ステップＳ１０４）。所定温度は、使用者が設定する温度であり、シャッタ装置システムが、空調装置３０による空調と自然換気との切り替えを行う温度である。すなわち、外気温が所定温度より高ければ、開口部２の気密性を確保して空調装置３０による空調を行い、外気が所定温度以下であれば開口部２の通気性を確保して自然換気を行う。例えば、空調装置３０の設定温度と同じ温度に所定温度を設定すると、快適性と省エネルギー性を両立した状態で屋内の空調を行うことができる。本実施形態においては、所定温度は、空調装置３０の設定温度とする。
【００７９】
ここで、外気温が設定温度よりも高ければ、制御装置４０は、ステップＳ１０４にて「ＮＯ」と判定し、開口部２の気密性を確保した状態で空調を継続する。一方、深夜の時間帯となって、外気温が設定温度以下となった場合は、制御装置４０は、ステップＳ１０４にて「ＹＥＳ」と判定し、自然換気を行うためにシャッタ装置システムを全閉状態Ｙから防犯通風状態Ｚに移行させる。
【００８０】
具体的には、制御装置４０は、空調装置３０による空調を停止する。そして、制御装置４０は、シャッタ制御装置１９に制御信号を送信し、部分通風装置１８によって、シャッタ１２をシャッタ閉状態Ｂから部分通風状態Ｄへの移行を開始する（ステップＳ１０６）。このときサッシ２１は、サッシ閉状態ｂである。次に、シャッタ１２が正常に部分通風状態Ｄに移行が完了したか否かを判定する（ステップＳ１０８）。シャッタ制御装置１９は、シャッタ１２が開口部２を閉鎖した検出信号を縦支柱１６のスイッチから受信すると、この信号を制御装置４０に送信する。制御装置４０は、この信号を受信したときに、部分通風状態Ｄに移行が完了したと判定する。
【００８１】
シャッタ１２が正常に部分通風状態Ｄに移行が完了しなかった場合は、制御装置４０は、ステップＳ１０８にて「ＮＯ」と判定し、サッシ閉状態ｂを保持した状態でシャッタ装置システムの動作を終了する。
【００８２】
一方、シャッタ１２が正常に部分通風状態Ｄへの移行が完了すれば、制御装置４０はサッシ制御装置２５に制御信号を送信し、サッシ駆動装置２４によって、サッシ２１をサッシ閉状態ｂからサッシ開状態ａに移行を開始する（ステップＳ１１０）。サッシ制御装置２５は、サッシ開状態ａであることを検出すると、検出信号を制御装置４０に送信する。制御装置４０がこの信号を受信した場合に、サッシ２１がサッシ開状態ａに、移行が完了したと判定する。そして、シャッタ装置システムは防犯通風状態Ｚ（部分通風状態Ｄ、サッシ開状態ａ）への移行が完了したため、自然換気が行われるようになる。
【００８３】
次に、制御装置４０は、外気温が設定温度よりも高くなったか否かを判定する（ステップＳ１１２）。外気温が設定温度以下のままであれば、制御装置４０は、ステップＳ１１２にて「ＮＯ」と判定し、自然換気を継続する。一方、明け方等に外気温が上がり、外気温が設定温度よりも高くなれば、制御装置４０は、自然換気から、開口部２の気密性を確保して空調装置３０による空調に切り替える。すなわち、制御装置４０は、シャッタ装置システムを防犯通風状態Ｚから全閉状態Ｙに移行させる。
【００８４】
具体的には、制御装置４０は、サッシ制御装置２５に制御信号を送信して、サッシ駆動装置２４によって、サッシ２１をサッシ開状態ａからサッシ閉状態ｂに移行を開始する（ステップＳ１１４）。そして、制御装置４０は、サッシ閉状態ｂへの移行が完了したか否かを判定する（ステップＳ１１６）。サッシ制御装置２５は、サッシ閉状態ｂであることを検出すると、検出信号を制御装置４０に送信する。制御装置４０は、この信号を受信した場合に、サッシ２１がサッシ閉状態ｂに移行が完了したと判定する。サッシ２１が正常にサッシ閉状態ｂに移行しなかった場合は、制御装置４０は、ステップＳ１１６にて「ＮＯ」と判定し、シャッタ１２の部分通風状態Ｄを保持した状態でシャッタ装置システムの動作を終了する。
【００８５】
一方、サッシ閉状態ｂへの移行が正常に完了すれば、制御装置４０は、ステップＳ１１６にて「ＹＥＳ」と判定する。そして、制御装置４０は、シャッタ制御装置１９に制御信号を送信し、部分通風装置１８によって、シャッタ１２を部分通風状態Ｄからシャッタ閉状態Ｂに移行を開始する。シャッタ制御装置１９は、シャッタ１２が開口部２を閉鎖した信号を縦支柱１６のセンサから受信すると、この信号を制御装置４０に送信する。制御装置４０は、この信号を受信した場合に、シャッタ閉状態Ｂに移行が完了したと判定する。そして、シャッタ装置システムは全閉状態Ｙ（シャッタ閉状態Ｂ、サッシ閉状態ｂ）に移行が完了した後に、制御装置４０は、空調装置３０による空調を開始する（ステップＳ１１８）。
【００８６】
よって、本実施形態によれば、制御装置４０は、シャッタ１２をシャッタ閉状態Ｂから部分通風状態Ｄに移行する場合、サッシ駆動装置２４によってサッシ２１をサッシ閉状態ｂとした後に、部分通風装置１８によってシャッタ１２を部分通風状態Ｄに移行させる。よって、シャッタ１２をシャッタ閉状態Ｂから部分通風状態Ｄに移行する間にシャッタ１２が開口部２を一部開放する非防犯状態Ｃとなっても、サッシ２１はサッシ閉状態ｂであるため、開口部２の防犯性を確保している。したがって、就寝中や人が建物１から離れている場合でも開口部２の防犯性は常に確保されている。
【００８７】
また、制御装置４０は、シャッタ１２を部分通風状態Ｄからシャッタ閉状態Ｂに移行する場合、サッシ駆動装置２４によってサッシ２１をサッシ閉状態ｂとした後に、部分通風装置１８によってシャッタ１２をシャッタ閉状態Ｂに移行させる。よって、シャッタ１２を部分通風状態Ｄからシャッタ閉状態Ｂに移行する間にシャッタ１２が開口部２を一部開放する非防犯状態Ｃとなっても、サッシ２１はサッシ閉状態ｂであるため、開口部２の防犯性を確保している。したがって、就寝中や人が建物１から離れている場合でも開口部２の防犯性は常に確保されている。
【００８８】
また、制御装置４０は、サッシ２１の開閉状態に応じて空調装置３０を制御している。このように、サッシ２１の開閉状態に応じて空調装置３０を制御することで、自然換気および空調装置３０による空調を組み合わせて屋内の温度および湿度を効率よく調整できるとともに、開口部２の防犯性が常に確保されている。
【００８９】
また、制御装置４０は、夏場の就寝中等において、シャッタを部分通風状態Ｄからシャッタ閉状態Ｂに移行する間にシャッタ１２が開口部２を一部開放する非防犯状態Ｃとなっても、サッシ２１はサッシ閉状態ｂであるため、開口部２の防犯性を常に確保している。具体的に、夏場の就寝中におけるシャッタ装置システムの動作は、就寝時等に外気温が高いためシャッタ１２をシャッタ閉状態Ｂに、サッシ２１をサッシ閉状態ｂに移行して気密性を確保して空調装置３０による空調を行う。その後、深夜に外気温が下がったためシャッタ１２を部分通風状態Ｄに、サッシ２１をサッシ開状態ａに移行して開口部２から外気を取り入れて自然換気を行う。さらに、明け方に外気温が高くなったためにシャッタ１２をシャッタ閉状態Ｂに、サッシ２１をサッシ閉状態ｂに移行して開口部２の気密性を確保して空調装置３０による空調を行う。
【００９０】
なお、本発明によるシャッタ装置システムの他の実施形態として、自然換気を行うためにシャッタ装置システムを全閉状態Ｙから防犯通風状態Ｚに移行する条件（ステップＳ１０４）に、本実施形態は温度センサ３１が検出する外気温を用いているが、インターネットを経由して取得する天気情報による温度、湿度等を適用しても良い。この場合、制御装置４０は、インターネットと相互に通信可能として、天気情報を取得できるようにする。
【００９１】
また、シャッタ装置システムは、外気の湿度を検出する湿度センサをさらに備え、シャッタ装置システムを全閉状態Ｙから防犯通風状態Ｚに移行を開始する条件（ステップＳ１０４）として、外気温と屋外の湿度から求められる不快指数を適用しても良い。この場合、制御装置４０は、温度センサ３１および湿度センサの検出信号を取り込んで、あらかじめ設定された演算式により不快指数を計算する。
【００９２】
また、シャッタ装置システムは、屋外の騒音を測定できる集音マイクをさらに備え、シャッタ装置システムを全閉状態Ｙから防犯通風状態Ｚに移行を開始する条件（ステップＳ１０４）として、集音マイクが検出する騒音レベルを適用するようにしても良い。この場合、制御装置４０は、集音マイクが検出する検出信号を取り込んで、騒音レベルが所定値以上であるときは、建物１の近くに異常があると判断して、シャッタ装置システムを防犯通風状態Ｚへの移行をしないようにする。なお、人の存在を検知するために、赤外線センサ、焦電センサ等を用いるようにしても良い。
【００９３】
また、本実施形態においては、シャッタ制御装置１９はシャッタ装置１０に、サッシ制御装置２５はサッシ装置２０に備えられているが、シャッタ制御装置１９およびサッシ制御装置２５を制御装置４０に備えるようにしてもよい。
【符号の説明】
【００９４】
１…建物、２…開口部、１０…シャッタ装置、１１…スラット、１２…シャッタ、１４…シャッタ駆動装置、１７…スラット駆動装置、２０…サッシ装置、２１…サッシ、２４…サッシ駆動装置、３０…空調装置、３１…温度センサ、４０…制御装置、Ａ…シャッタ開状態、Ｂ…シャッタ閉状態、Ｃ…非防犯状態、Ｄ…部分通風状態、ａ…サッシ開状態、ｂ…サッシ閉状態、Ｘ…全開状態、Ｙ…全閉状態、Ｚ…防犯通風状態、α…通風部。
【図１】
2014189959.tif 000003
【図２】
2014189959.tif 000004
【図３】
2014189959.tif 000005
【図４】
2014189959.tif 000006
【図５】
2014189959.tif 000007
【図６】
2014189959.tif 000008
【図７】
2014189959.tif 000009